(57)【要約】【課題】天井や壁面の反射率や色に依存せず、床面へ十分な照度と所望の光色を得ることが可能なＬＥＤ照明装置を提供すること。【解決手段】複数のＬＥＤ素子を備え、下向きに光を照射するよう放熱板に取り付けられる主光源と、該放熱板よりも上部に光を照射するよう前記放熱板よりも上側に取り付けられる副光源と、を有し、前記副光源のみの点灯時の光束値は、前記主光源のみの点灯時の光束値の２割以上である。  製品上部に位置した複数のＬＥＤ素子を備え、ＬＥＤ素子から発せられる施工面（天井）へ照射される光の一部を、施工面とは別の方向（床面）に反射する反射部材を備えたことを特徴とする照明装置。【選択図】図５
2018156801.tif 000002
【特許請求の範囲】
【請求項１】
天井等の施工面に取り付けられる照明装置において、
複数のＬＥＤ素子を備え、該ＬＥＤ素子が製品上部に位置し、該ＬＥＤ素子から発せられる前記施工面へ照射される光の一部を、施工面とは別の方向に反射する反射部材を備えたことを特徴とする照明装置。
【請求項２】
請求項１に記載の照明装置において、
前記反射部材が照明装置本体から着脱可能であることを特徴とする照明装置。
【請求項３】
請求項１に記載の照明装置において、
前記反射部材の外形寸法が可変であることを特徴とする照明装置。
【請求項４】
請求項２乃至３に記載の照明装置において、
照明装置本体を施工面に平行な軸に対して反転可能であることを特徴とする照明装置。
【請求項５】
光源と、前記光源から出射される光を反射する反射部材と、を有する照明装置において、
前記照明装置を施工面に取り付けた状態で、前記光源の出射面が前記施工面側を向き、前記施工面と前記光源との間に前記反射部材が位置することを特徴とする照明装置。
【発明の詳細な説明】
【技術分野】
【０００１】
本発明は、複数のＬＥＤ（Light Emitting Diode）素子を光源として備えるＬＥＤ照明装置に関するものである。
【背景技術】
【０００２】
使用者のまぶしさ感を抑えるための照明空間を得るために、従来、光源としてＬＥＤを用いて、主に天井面や壁面方向を照らす間接照明機能を有する照明装置がある。（特許文献１、特許文献２）  特許文献１に開示された照明装置は、照明の対象となる空間に露出する面の表面に取り付けられる波長変換シートと、波長変換シートに向けて紫外光を放射する紫外ＬＥＤと、を備えている。
【０００３】
波長変換シートは、光透過性を有する基材によって紫外光を可視光に変換する波長変換材料が基材に担持され、光拡散性を有しており、紫外ＬＥＤから出射された紫外光を透過および波長変換して、壁面または天井面に反射させることによって照明光を得ている。
【０００４】
特許文献２に開示された照明装置は、器具本体上部に、外周方向（壁面方向）を向いた光源と、器具本体外周部に光源が所定面（床面と平行で光源部より下方に位置する面）の方へ出射する光の一部を遮光する遮光部と、を備えている。
【０００５】
器具本体は光源部からの光の出射方向に対して遮光部と反対側を開放してあって、所定面に垂直な方向に沿って所定面からの離隔寸法がそれぞれ最大となる光源部の出射箇所及び遮光部の外周箇所を繋ぐ周方向の仮想直線が、遮光部の外周に向かって所定面に近づくように傾斜してある。
【先行技術文献】
【特許文献】
【０００６】
【特許文献１】特開２０１２−４８９７５号公報
【特許文献２】特開２０１５−１９７９４５号公報
【発明の概要】
【発明が解決しようとする課題】
【０００７】
特許文献１に開示された照明装置では、波長変換シートは粘着剤により天井や壁面に着脱自在に取り付けられているが、紫外線を発するための光源部は壁面に取り付ける必要があり、取付工事や交換工事が煩雑である。
また、光源となるＬＥＤから発せられる光が紫外光であり、それを波長変換シートによって可視光に変換し、天井面や壁面等の施工面で光を反射させるため、施工面の反射率が低い空間に設置されると、床面側への光が届きにくくなり、施工面の色によって光色も変わってしまい、使用者が所望する光色に制御することが困難となるという課題がある。
【０００８】
特許文献２に開示された照明装置では、天井に固定されたローゼット又は引掛シーリングにアダプタを用いて、施工面に容易に取り付け可能な構造であるが、天井や壁の反射率が低い空間に設置されると、床面側へ光が届きにくくなり、主光源を取り付けるべき引掛シーリングを使用してしまうため、床面の照度を確保するためには、主光源とは別にダウンライト等補助光源を設置するための配線施工工事が必要となる。
また、天井や壁の色によって反射光の光色が変わってしまうという課題がある。
【０００９】
本発明は、使用者へのまぶしさ感を抑えながら、施工面への取り付けが容易であり、天井や壁面の反射率や色に依存せず、床面へ十分な照度と所望の光色を得ることを課題とする。
【課題を解決するための手段】
【００１０】
本発明は、光源として上向きに光を照射するよう放熱板に取り付けられる複数のＬＥＤ素子を備え、光源と施工面との間に反射部材を有することを特徴とする。
【発明の効果】
【００１１】
本発明によれば、天井や壁面の反射率や色に依存せず、床面へ十分な照度と所望の光色を得ることが可能なＬＥＤ照明装置を提供することができる。
【図面の簡単な説明】
【００１２】
【図１】本発明の実施形態に係るＬＥＤ照明装置を示す図であり、斜め下方向から見たときの状態を示す外観斜視図である。
【図２】ＬＥＤ照明装置を斜め上方向から見たときの状態を示す外観斜視図である。
【図３】ＬＥＤ照明装置を斜め下方向から見たときの状態を示す分解斜視図である。
【図４】ＬＥＤ照明装置を斜め上方向から見たときの状態を示す分解斜視図である。
【図５】ＬＥＤ照明装置の中央縦断面図である。
【図６】図５のＡ部拡大図である。
【図７】ＬＥＤ光源基板の一例を示す上面図である。
【図８】間接光カバー及び反射カバーを取り外したＬＥＤ照明装置を斜め上方向から見たときの状態を示す斜視図である。
【図９】間接光カバー及び反射カバーの一部を断面したＬＥＤ照明装置を斜め上方向から見たときの状態を示す斜視図である。
【図１０】図９のＢ−Ｂ断面図であり、間接光カバーと反射カバーの取り付け状態を時系列で示した図である。図１０（ａ）は、取付け前、図１０（ｂ）は、取付け中、図１０（ｃ）は、取付け後の状態を示した図
【図１１】施工面への取付方法の変形例を斜め下方向から見たときの状態を示す外観斜視図である。
【図１２】施工面への取付方法の変形例の中央断面図である。
【図１３】反射カバーの変形例である摺動性反射カバー１枚を取り付けた状態を示す照明装置の背面図である。
【図１４】反射カバーの変形例である摺動性反射カバー複数枚を取り付け、かつ摺動性反射カバーの外径が最大となった状態を示す照明装置の背面図である。
【図１５】反射カバーの変形例である摺動性反射カバー複数枚を取り付け、かつ摺動性反射カバーの外径が最大となった状態を示す照明装置の中央断面図である。
【図１６】反射カバーの変形例である摺動性反射カバー複数枚を取り付け、かつ摺動性反射カバーの外径が最小となった状態を示す照明装置の背面図である。
【図１７】反射カバーの変形例である摺動性反射カバー複数枚を取り付け、かつ摺動性反射カバーの外径が最小となった状態を示す照明装置の中央断面図である。
【発明を実施するための形態】
【００１３】
本発明の実施形態に係るＬＥＤ照明装置（ＬＥＤシーリングライト）について、適宜図面を参照しながら詳細に説明する。なお、本実施形態では、ＬＥＤ照明装置１の一例をして、平面視して円形のものを例に挙げて説明するが、形状はこれに限定されず、例えば、四角形、六角形、八角形等の多角形のものにも適用することもできる。また、本実施形態では、以下、主光源として発光ダイオード（ＬＥＤ）を用いたＬＥＤ照明装置１として説明するが、主光源はＬＥＤに限定されるものではない。
【００１４】
図１は、本発明の実施形態に係るＬＥＤ照明装置１を示す図であり、斜め下方向から見たときの状態を示す外観斜視図である。図２は、ＬＥＤ照明装置１を斜め上方向から見たときの状態を示す外観斜視図である。図１及び図２に示すＬＥＤ照明装置１は、例えば、家屋の天井面に設けられる引掛ローゼットや引掛シーリング等の屋内配線器具３１に係合する取付アダプタ３２を介することによって、外部電源に接続されると共に天井面の所定位置に容易に固定でき、利用に供されるものである。ＬＥＤ照明装置１は、例えば、丸型や角型等のものからなる（本実施形態では丸型である）。なお、以下の説明において、ＬＥＤ照明装置１が天井面に取り付けられた状態を基準として、紙面上側が天井側（上面側）、紙面下側が床側（下面側）である。
【００１５】
図３は、ＬＥＤ照明装置１を斜め下方向から見たときの状態を示す分解斜視図である。図４は、ＬＥＤ照明装置１を斜め上方向から見たときの状態を示す分解斜視図である。図３及び図４に示すように、ＬＥＤ照明装置１は、バックボーン１１、アダプタ受け部１２、電源基板１３、放熱板１４、絶縁板１５、センタカバー１７、カバー１９、ＬＥＤ光源基板２０、間接光カバー２１、反射カバー２２等を備えて構成されている。
【００１６】
バックボーン１１は、鋼板（例えば、ＳＥＣＣ（電気亜鉛メッキ鋼板））を略円形状に加工成形したベース部材であり、凹面が床側を向くように略凹状（皿状）に形成されている。また、バックボーン１１の中央には、取付アダプタ３２が係止されるアダプタ取付孔１１ａが形成されている。
バックボーン１１の上部には、アダプタ取付孔１１ａからの虫の侵入を防止すること、ＬＥＤ照明装置１が施工面に対して平行を保つこと、及び、ＬＥＤ照明装置１のがたつきを防止するために、スポンジ部材１６を円環状に取り付けることが望ましい。
【００１７】
アダプタ受け部１２は、難燃性を有する合成樹脂（例えば、ＰＰ：ポリプロピレン樹脂等）で形成され、バックボーン１１の下面にねじ固定される固定部１２ａと、床側（下方）に延出する円筒部１２ｂと、を有している。
【００１８】
図３に示すように、電源基板１３は、制御部を含む点灯回路基板等を有し、後記する絶縁板１５に上下を囲われた状態でバックボーン１１にねじ止めされている。これにより、電源基板１３は、バックボーン１１と、後記する放熱板１４とで囲まれた放熱空間内に、電気絶縁性を維持した状態で配置される。
【００１９】
また、電源基板１３は、この電源基板１３に接続された電線１３ａを介して、取付アダプタの電線３２ａと電気的に接続され、同じく電源基板１３に接続された電線１３ｂを介して、ＬＥＤ光源基板２０と電気的に接続される。
これにより、ＬＥＤ照明装置１は、屋内配線器具３１、取付アダプタ３２、電線１３ａ，１３ｂ、３２ａ、電源基板１３をそれぞれ介して、給電されるように構成されている。
【００２０】
絶縁板１５は、電気絶縁性を有するシート状の合成樹脂（例えば、ＰＥＴ：ポリエチレンテレフタレート樹脂等）で形成され、後記する電源基板１３と導電性の材料からなるバックボーン１１および後記する放熱板１４との電気絶縁性を維持した状態で配置される。
本実施例においては、ＬＥＤ照明装置全体の厚みを薄くするために絶縁板１５がシート状の形態をとっているが、射出成型された合成樹脂で構成されても良いし、絶縁距離が十分に確保可能な状態で電源基板１３を固定することが可能な構成であれば、絶縁板１５は不要である。
【００２１】
放熱板１４は、作動時に発熱する電源基板１３、及び複数のＬＥＤが実装されたＬＥＤ光源基板２０の熱を放熱して冷却する役割を果たす金属製部材である。後記するＬＥＤ素子２０ａのＬＥＤは、温度が上がると発光効率が低下する性質がある。また、ＬＥＤは、使用時に、低電圧の大電流を流して高輝度発光を行うので、この発光に伴う発熱によってＬＥＤ自体や、周囲の部材が劣化するため、この劣化を抑制して長寿命・高信頼性を実現するに、適切な放熱を行うことが求められる。
【００２２】
放熱板１４は、鋼板を略円形状に加工成形したものであり、床側に突出する円錐台形状の電源基板収納部１４ａが形成されている。また、放熱板１４は、例えば、亜鉛メッキ鋼板等の熱伝導性の良好な金属を用いて構成され、しぼり加工を施すことによって、継ぎ目なく一体に成形されて、強度アップが図られている。また、放熱板１４は、バックボーン１１よりも大径に形成され、バックボーン１１よりも径方向外側に突出するようにしてバックボーン１１に取り付けられる。放熱板１４は、この放熱板１４の上面側に主光源の複数のＬＥＤ素子２０ａが上向きに光を照射するようにＬＥＤ光源基板２０を配置している。補足すると、ＬＥＤ光源基板２０は、高さ（厚さ）を抑えるように、放熱板１４の上面側（後記する環状部１４ｃの上面）に、当該上面に添うように配置されている。
【００２３】
なお、放熱板１４の径方向の中心には、アダプタ受け部１２の円筒部１２ｂと対応する位置に円形の貫通孔１４ｂが形成されている。また、放熱板１４の外周部には、水平に形成された円形の環状部１４ｃと、環状部１４ｃの外周部に形成されたカバー取付部１４ｄと、を有している。
図４に示すように、環状部１４ｃの上面側には、環状部１４ｃの上面にねじ止めされるＬＥＤ光源基板２０と、このＬＥＤ光源基板２０を覆う間接光カバー２１と、が配置されている。
【００２４】
図５は、ＬＥＤ照明装置１の中央縦断面図である。図６は、図５のＡ部拡大図である。図５、図６に示すように、カバー取付部１４ｄは、間接光カバー２１が取り付けられる部位であり、放熱板１４の外周部に略テーパ状に拡開して形成されている。カバー取付部１４ｄの上部の環状部１４ｃ（放熱板１４の外周部）には、ＬＥＤ光源基板２０がリング状に載設されて、光源である多数のＬＥＤ素子２０ａが配置されている。
【００２５】
本実施形態では、前記のような構成のバックボーン１１と、放熱板１４とを備えることによって、放熱面積を大きくし、電源基板１３及びＬＥＤ光源基板２０の放熱効率の向上を図っている。その結果、ＬＥＤ素子２０ａの発光効率を高くできる。
【００２６】
図７は、ＬＥＤ光源基板２０の一例を示す上面図である。図８は、間接光カバー２１及び反射カバー２２を取り外したＬＥＤ照明装置１を斜め上方向から見たときの状態を示す斜視図である。図７、図８に示すＬＥＤ素子２０ａは、例えば、１２８個の昼光色ＬＥＤ２０ａ１、６４個の電球色ＬＥＤ２０ａ２によって構成されている。
【００２７】
ＬＥＤ昼光色ＬＥＤ２０ａ１は、ピーク波長が４３０ｎｍ〜４６０ｎｍのものである。電球色ＬＥＤ２０ａ２は、ピーク波長が５５０ｎｍ〜６５０ｎｍのものであり、同心円状に列配置された昼光色ＬＥＤ２０ａ１を間に挟んで配置されている。すなわち、電球色ＬＥＤ２０ａ２は、同心円状の列において、２個の昼光色ＬＥＤ２０ａ１を間に挟んで配置されている。
ＬＥＤ素子２０ａは昼光色ＬＥＤ２０ａ１と電球色ＬＥＤ２０ａ２だけでなく、他の色の白色ＬＥＤ、または青色ＬＥＤや赤色ＬＥＤなど単色ＬＥＤによって構成されても良い。
【００２８】
なお、放熱板１４及びＬＥＤ光源基板２０には、ＬＥＤ素子２０ａからの光を天井側に反射させる白色塗料によって反射塗装が行われている。
【００２９】
ＬＥＤ光源基板２０は、例えば、アルミニウム合金製の略環状の金属板に絶縁層及び銅箔パターン等を形成することで構成され、あるいは、熱伝導性の良好な樹脂（例えば、ポリイミド樹脂等）の平板上に銅箔パターン、ソルダーレジスト等を形成することで構成されている。
【００３０】
ＬＥＤ光源基板２０は、４枚の略扇形状の基板を円環状に配置して連結して構成され、複数の光源としてのＬＥＤ素子２０ａが実装されている。ＬＥＤ光源基板２０は、電源接続用の電線１３ｂを挿通するための配線用貫通孔２０ｂと、配線用貫通孔２０ｂの近傍に取り付けられた電源接続用のコネクタ２０ｃと、を備えている（この例ではＬＥＤ光源基板２０は円弧状の４つ基板が連結して構成されている）。４つの基板の連結部は基板間コネクタ２０ｂによって、基板間の電気的接続を取っている。ＬＥＤ光源基板２０は、放熱板１４の上面側の周部の環状部１４ｃ上にねじ止め（図示省略）して配置されている。
ＬＥＤ光源基板２０の固定手段はプッシュリベット等放熱板１４に密着させられる手段であれば、ねじ止めに限らない。
【００３１】
このため、図６に示すように、ＬＥＤ素子２０ａは、放熱板１４の上面側の周部全体の位置から天井側へ光を照射するように配置されている。
【００３２】
図９は、間接光カバー２１及び反射カバー２２の一部を断面したＬＥＤ照明装置１を斜め上方向から見たときの状態を示す斜視図である。図３、図６、図９に示すように、ＬＥＤ光源基板２０の上部側には、このＬＥＤ光源基板２０を上方から覆う環状の透光性（透明、半透明、または、乳白色を含む）を有する樹脂（例えば、アクリルや、ポリスチレン等）からなる間接光カバー２１が設けられている。
間接光カバー２１は、光源のＬＥＤ素子２０ａから放射された光を反射する反射部２１ａと、ＬＥＤ光源基板２０の上面を覆う基板収容部２１ｂと、基板収容部２１ｂに上面側に形成された山状部２１ｃと、間接光カバー２１の内縁に形成された内縁部２１ｄと、山状部２１ｃの外周部に形成された外縁部２１ｅと、を有している。
【００３３】
図６に示すように、反射部２１ａは、山状部２１ｃの内面（天井面）から下方向に向けて突出形成された略環状の突出片からなり、外側面でＬＥＤ素子２０ａから放射された光を外周方向に向けて反射するように形成されている。
なお、反射部壁外周面に反射率の高い、反射シート等を取り付けたり、光を反射する反射材を塗装したりすることで、より効率よく、光を外周部へ出射することができる。
【００３４】
基板収容部２１ｂは、山状部２１ｃと、山状部２１ｃの内周部側に形成された平らな環状部位と、から形成されている。
山状部２１ｃは、ＬＥＤ光源基板２０の上面と、間接光カバー２１の下面との間に反射部２１ａを形成するための空間を形成する部位である。山状部２１ｃは、上面が縦断視して山状（三角形状）に形成されて、上側に膨らんだ状態に形成されている。
【００３５】
図９に示すように、内縁部２１ｄは、ＬＥＤ光源基板２０の内縁部の内周部に形状するように形成されている。また、図６に示すように、外縁部２１ｅは、山状部２１ｃの外周部から下側方向に向けて形成されて、放熱板１４のカバー取付部１４ｄの外周面を覆うように配置されている。
【００３６】
間接光カバー２１の上部側には、この間接光カバー２１からの出射された光の内、天井等の施工面にあたる光の一部を施工面とは別の方向へ反射するための反射カバー２２が設けられている。
反射カバー２２は、間接光カバー２１から放射された光を反射する反射部２２ａと、間接光カバー２１に反射カバー２２を取り付けるための取付部２２ｂと、を有している。
【００３７】
反射カバー２２が無く、天井の反射率が低い場合には、間接光カバー２１から出射された光の大部分は天井や壁面に照射されて、床面、特にＬＥＤ照明装置の直下方向へ光を照射することが困難である。また、天井の色によって反射光の色が変化してしまい、使用者が所望する照明空間を得られない恐れがある。
【００３８】
反射部２２ａは、間接光カバー２１から出た光を効率良く、かつ色の変化を抑えて反射させるために反射率の高い蒸着塗装を施すことも可能であるが、使用者のまぶしさ感を低減するためには、高反射の白色塗装又は、反射カバー２２の材料を高反射の白色樹脂で成形することが望ましい。
また、図６に示すように、反射部２２ａの断面形状は間接光カバー２１から放射された光をＬＥＤ照明装置１直下の床面方向に反射する形状であることが望ましい。図６の反射部２２ａの形状であれば、ＬＥＤ照明装置の最外径の大きさを抑えながら、反射部２２ａの外周部付近に当たった正反射光によって、ＬＥＤ照明装置１の直下の床面にも照射することが可能である。
【００３９】
図１０は、図９のＢ−Ｂ断面図であり、間接光カバー２１と反射カバー２２の取り付け状態を時系列で示した図である。図１０（ａ）は、取付け前、図１０（ｂ）は、取付け中、図１０（ｃ）は、取付け後の状態を示した図である。図１０に示すように、間接光カバー２１の内縁部２１ｄの内側に固定部２１ｆを備える。固定部２１ｆは床面側に山状突起２１ｇと壁状突起２１ｈを有している。山状突起の周囲には溝部２１ｊを有しており、間接光カバー２１材料の弾性により、山状突起２１ｇは上下方向に湾曲変形可能な構成となっている。
反射カバー２２の取付部２２ｂには、略台形状の突起２２ｃと、略直方体状の突起２２ｄを有している。
【００４０】
間接光カバー２１の上部に反射カバー２２を置き、図１０の（ａ）の状態から紙面右方向（図示白抜き矢印方向）に回動させることで、反射カバー２２の略台形状の突起２２ｃが、間接光カバー２１の山状突起２１ｇに接触する（図１０（ｂ）の状態）。さらに間接光カバー２１を回動させると、略台形状の突起２２ｃが山状突起２１ｇを矢印Ｃ方向に押し上げ、その下側をくぐり、さらに回動させると、略直方体状の突起２２ｄが壁状突起２１ｈに当接して止まり、反射カバー２２は間接光カバー２１によって保持される（図１０（ｃ）の状態）。
【００４１】
逆方向に回動させることで、略台形状の突起２２ｃが山状突起２１ｇの下を再度くぐることで、容易に反射カバー２２を外すことが可能となる。
反射カバー２２の取り付けは、間接光カバー２１や、バックボーン１１、あるいは放熱板１４にねじ等を用いて機械的に固定しても良いが、本実施例の構造を取ることで、使用者が部屋の模様替えや使用用途を変えて、間接光をメインとして使用したい場合を想定して、反射カバー２２は容易に着脱できる構造とすることができる
【００４２】
なお本実施例では、反射カバー２１を取り付けるための各突起部の数を４組記載しているが、その組数に限定するものではなく、また形状も同様の効果を得られれば本実施例の形状に限定されるものではない。
【００４３】
図３、図４、図５に示すように、放熱板１４の下側には、各部品を固定するためのねじ（図示省略）や電線１３ｂを隠すためのカバー１９を有する。
カバー１９の径方向の中心には、アダプタ受け部１２の円筒部１２ｂと対応する位置に円形の貫通孔１９ａが形成されている。
【００４４】
カバー１９の裏面１９ｂには放熱板１４側に取り付ける際の位置決め用のガイドとなる突起部１９ｃと放熱板１４側からねじ止めするためのねじボス部１９ｄが形成されている。
これにより、カバー１９の突起部１９ｃを放熱板１４のガイド用穴１４ｅで周方向の位置合わせが可能となり、ねじボス部１９ｄでのねじ固定が容易となり、カバー１９の固定が容易に行える。
【００４５】
本実施例において、カバー１９は一般的な照明器具のカバーと異なり透光性が不要であるため、材料は金属でも合成樹脂でも良い。また、カバー１９の表面１９ｅはＬＥＤ照明装置１の意匠性向上のために、模様や図象を印刷や成型を施したり、ＬＥＤ照明装置１全体を薄く見せるために断面形状をカバー外周部にいくほど天井側に湾曲した形状を取ったり、使用者の使い勝手を良くするために、カバー１９に照度センサや人感センサ、リモコン受光部、付加装置として、スピーカー、火災報知機等を取り付けたり、と自由なデザインや機能を持たせることが可能である（図示省略）。
【００４６】
センタカバー１７は、装置本体の中央において露出する取付アダプタ３２を覆う部材であり、例えば、難燃性を有する合成樹脂（例えば、ＡＢＳ：アクリロニトリルブタジエンスチレン樹脂）によって形成されている。また、センタカバー１７は、円板状に形成され、アダプタ受け部１２に着脱自在に取り付けられている。
センタカバー１７の固定は放熱板１４やカバー１９に着脱自在に取り付けられるようにしても良い。
【００４７】
［作用］
次に、図５、図６を主に各図を参照しながら本発明の実施形態に係るＬＥＤ照明装置１の作用を説明する。
【００４８】
図１及び図２に示すＬＥＤ照明装置１は、電源及び電源回路（図示省略）から電力を供給されることによって動作する。その電源回路は、電源の電力を所定の電圧あるいは電流に調整する機能を有する。また、ＬＥＤ照明装置１は、受光部（図示省略）でリモコンから出力される信号（例えば、赤外光）を受信して、受信した信号を制御部（図示省略）に送信する機能を有する。
【００４９】
また、点灯回路（図示省略)は、制御部から受信した制御信号に基づいて、昼光色ＬＥＤ２０ａ１、電球色ＬＥＤ２０ａ２を駆動する機能を有する。また、点灯回路（図示省略）は、制御部から受信した制御信号に基づいて、昼光色ＬＥＤ２０ａ１、電球色ＬＥＤ２０ａ２を駆動する駆動電流を個別に変更する機能を有する。
【００５０】
リモコン（図示省略）は、ボタンを操作することによって、設定された信号を出力する機能を有し、例えば、点灯モードとして、全灯モード、明るさアップモード等に設定することができるようになっている。
【００５１】
図６に示す光源のＬＥＤ素子２０ａが点灯すると、ＬＥＤ素子２０ａから照射された光が間接光カバー２１を介して、反射カバー２２、天井、壁面を照射し、それらの反射光によって床面を含む空間全体を照射する。ＬＥＤ素子２０ａは、光を照射すると、熱も発散する。
【００５２】
図５に示すように、放熱板１４と間接光カバー２１との間は、ＬＥＤ光源基板２０を介在させて放熱板１４に対して間接光カバー２１がねじ止め、あるいはＬＥＤ光源基板２０を放熱板１４に直接ねじ止めされている。これにより、放熱板１４に対するＬＥＤ光源基板２０の密着性が高くなり、放熱性を向上することができる。このため、ＬＥＤ素子２０ａの発光効率に優れたＬＥＤ照明装置１を実現することができる。
【００５３】
また、図３に示すように、放熱板１４は、この放熱板１４の上面側に、上向きに光を照射するようにＬＥＤ光源基板２０が配置されている。つまり、ＬＥＤ光源基板２０は、円環状に連結されて水平に配置された平板状基板からなるので、上下方向に高さを低くして、ＬＥＤ照明装置１全体を小型化、薄形化することができる。
【００５４】
図８に示すように、ＬＥＤ光源基板２０の多数のＬＥＤ素子２０ａは、放熱板１４の上面側の外周部に、この外周部の全体の位置から光を照射するように配置されている。
【００５５】
また、放熱板１４の上面側には、ＬＥＤ光源基板２０を上方から覆う透光性の間接光カバー２１を備えると共に、その間接光カバー２１は、ＬＥＤ光源基板２０上の複数のＬＥＤ素子２０ａから放射された光を外周方向に反射する反射部２１ａを有している。
このため、ＬＥＤ素子２０ａから照射された光は、間接光カバー２１の反射部２１ａによって外周方向に反射されるので、外周方向（横方向）を照射して、天井や壁面を明るく照明することができる。
【００５６】
また、間接光カバー２１の上面側には、間接光カバー２１を上方から覆う反射率の高い反射カバー２２を備える。
このため、天井の反射率に依存せずに、間接光カバー２１から出射された光の一部を効率よく床面側に反射することができ、部屋全体を明るく照射することができる。
【００５７】
ＬＥＤ光源基板２０のＬＥＤ素子２０ａは、電源基板１３よりも外周側に配置されている。このため、ＬＥＤ光源基板２０上の熱を発生するＬＥＤ素子２０ａと、電源基板に配置されて熱を発生する電子部品とが、バックボーン１１および放熱板１４に離して配置することができるので、効率よく放熱させて冷却することができる。
【００５８】
このように本発明の実施形態に係るＬＥＤ照明装置１は、照明装置の高さ（厚さ）を小さくすることができ、かつ、ＬＥＤ光源基板２０の光を外方及び床面方向に向けることができるので、室内の天井面や壁の上面だけでなく、床面までを照明できる。また、ＬＥＤ照明装置１を設置する施工面の色に依存せずに、使用者が所望する光色を得ることができる。
【００５９】
また、本実施形態では、ＬＥＤ光源基板２０のＬＥＤが上面（天井面）を向いているが、特許文献２では、本実施形態のＬＥＤ光源基板２０に対応するＬＥＤ基板３０のＬＥＤ３１は側方を向いている。かつ、ＬＥＤ照明装置の外周部から離れた内周部に配置されているため、床面方向への照射が難しく、ＬＥＤ搭載数を増加しにくい構成である。また、発熱部品である電源基板とＬＥＤ基板が隣接するため、放熱性も悪化しＬＥＤ照明装置の発光効率は低下しやすい。一方、本実施形態では、ＬＥＤ光源基板２０のＬＥＤが上面（天井面）を向いていて、かつ、ＬＥＤ照明装置１の外周部に配置されているため、床面方向への照射が容易で、ＬＥＤ搭載数を増加させることが容易な構成である。また、発熱部品である電源基板１３とＬＥＤ光源基板２０を離して配置できるため、放熱性が格段に向上しＬＥＤ照明装置１の発光効率の低下が軽減される。
【００６０】
また、特許文献２では、間接光源の基板（特許文献２の符号３０の基板）が平坦な板状（直線状）で、かつ、基板同士の間に大きな隙間があいているが、本実施形態のＬＥＤ光源基板２０は円環状でそのような隙間がないので、間接光光源基板２０上にＬＥＤ素子２０ａを適切に（隙間なく）配置できる。
【００６１】
上述のＬＥＤ光源の構成により、ＬＥＤ数量の増加、放熱性の向上が図れるため、間接光照明にも関わらず、補助光源を用いずとも、天井や壁だけでなく部屋全体を照らすだけの光量を得ることが可能となる。
【００６２】
［変形例］
なお、本発明は、前記実施形態に限定されるものではなく、その技術的思想の範囲内で種々の改造及び変更が可能であり、本発明はこれら改造及び変更された発明にも及ぶことは勿論である。なお、前記実施形態で説明したものと同一なものは、同一符号を付してその説明は省略する。
【００６３】
＜ＬＥＤ照明装置取付方法の変形例＞
図１１は、施工面への取付方法の変形例を斜め下方向から見たときの状態を示す外観斜視図である。図１２は、施工面への取付方法の変形例の中央断面図である。図１１、図１２は、施工面への取付方法の変形例を示すＬＥＤ照明装置１の斜視図である。
【００６４】
上述の実施例において、照明装置の薄型化が可能となったことから、図１１に示すように、反射カバー２２とセンタカバー１７を外した状態で、天地を反転させても天井に取り付けることが可能な形状を取ることができる。
【００６５】
スポンジ部材１６やねじ部（図示省略）を隠すために、ＬＥＤ照明装置１下面に裏面カバー２３を取り付けても良い。
裏面カバー２３は、上述のカバー１９同様に一般的な照明器具のカバーと異なり透光性が不要であるため、材料は金属でも合成樹脂でも良い。また、裏面カバー２３の表面２３ｃはＬＥＤ照明装置１の意匠性向上のために、模様や図象を印刷や成型を施したり、使用者の使い勝手を良くするために、カバー２３に照度センサや人感センサ、リモコン受光部、付加装置として、スピーカー、火災報知機等を取り付けたり、と自由なデザインや機能を持たせることが可能である（図示省略）。
【００６６】
裏面カバー２３には上述の反射カバー２２と同様に略台形状の突起２３ａと略直方体状の突起２３ｂを有しており、回動させることで間接光カバー２１に取り付けることが可能な構成を有している。
【００６７】
本実施例の構成であれば、使用者が天井面や壁面を主に照らす間接光として使用する場合とＬＥＤ照明装置１の下方を主に照らして主照明として使用する場合と、を切り替えることが可能となる。
【００６８】
＜反射カバーの変形例＞
図１３は、反射カバー２２の変形例である摺動性反射カバー２４を１枚取り付けた状態を示す照明装置の背面図である。図１４は、反射カバー２２の変形例である摺動性反射カバー２４を複数枚取り付け、かつ摺動性反射カバー２４の外径が最大となった状態を示す照明装置の背面図である。図１５は、反射カバー２２の変形例である摺動性反射カバー２４を複数枚取り付け、かつ摺動性反射カバー２４の外径が最大となった状態を示す照明装置の中央断面図である。図１６は、反射カバー２２の変形例である摺動性反射カバー２４を複数枚取り付け、かつ摺動性反射カバー２４の外径が最小となった状態を示す照明装置の背面図である。図１７は、反射カバー２２の変形例である摺動性反射カバー２４を複数枚取り付け、かつ摺動性反射カバー２４の外径が最小となった状態を示す照明装置の中央断面図である。
図１４、図１６は、反射カバー２２の変形例である摺動性反射カバー２４を示す天井面から見た平面図である。
【００６９】
図１５、図１７に示すように、摺動性反射カバー２４はバックボーン１１の上部に配置される。
【００７０】
摺動性反射カバー２４は、複数枚（本実施例では１６枚）の摺動性反射カバー片２４aからなる。
【００７１】
図１３に示すように、摺動性反射カバー片２４ａには、取付用の穴２４ｂと、各摺動性反射カバー片が連動して動くための溝部２４ｃと、摺動性反射カバー片２４ａを重ね合わせた際に隣接する摺動性反射カバー片の溝部２４ｃに収まるガイド部２４ｄと、を有する。
【００７２】
摺動性反射カバー片２４ａを、穴２４ｂが回転軸（図１３の矢印Ｄ）となるように、摺動性を持たせた状態でバックボーン１１に取り付ける。取り付け方法は摺動性反射カバー片２４ａが回転するように段付きねじやプッシュリベット等を用いて取り付けるのが良い（図示省略）。
【００７３】
図１４に示すように、ガイド部２４ｄが隣接する摺動性反射カバー片の溝部２４ｃに収まるように摺動性反射カバー片２４を複数枚円周上に取り付けることで、１つの摺動性反射カバー２４ａを動かすことで、摺動性反射カバー２４全体を摺動させることが可能となり、図１４と図１６のように摺動性反射カバー２４（反射面）の外径を変更することができる。図１５のように摺動性反射カバー２４の外径を大きくすれば、間接光カバー２１から出射した光を床面方向に効率的に反射することが可能となり、ＬＥＤ照明装置１を床面も照らすことができる主照明としての用途に使用することができる。
【００７４】
また図１７のように摺動性反射カバー２４の外径を小さくすれば、間接光カバー２１から出射した光は摺動性反射カバー２４に当たらなくなるため、ＬＥＤ照明装置１を天井面や床面を主に照らす間接光としての用途に使用することができる。
【００７５】
摺動性反射カバー２４の外径を変更する操作は、使用者が手動で動かしても良いし、電動機（図示省略）をＬＥＤ照明装置１の内部に搭載して、リモコン（図示省略）等を用いて遠隔操作で動かしても良い。
【００７６】
本実施例の構成であれば、使用者が天井面や壁面を主に照らす間接光として使用する場合と床面も照らして主照明として使用する場合と、を容易に切り替えることが可能となる。
【符号の説明】
【００７７】
１      ＬＥＤ照明装置
１１    バックボーン
１２    アダプタ受け部
１３    電源基板
１４    放熱板
１５    絶縁板
１６    スポンジ部材
１７    センタカバー
１９    カバー
２０    ＬＥＤ光源基板
２１    間接光カバー
２２    反射カバー
２３    裏面カバー
２４    摺動性反射カバー
【図１】
2018156801.tif 000003
【図２】
2018156801.tif 000004
【図３】
2018156801.tif 000005
【図４】
2018156801.tif 000006
【図５】
2018156801.tif 000007
【図６】
2018156801.tif 000008
【図７】
2018156801.tif 000009
【図８】
2018156801.tif 000010
【図９】
2018156801.tif 000011
【図１０】
2018156801.tif 000012
【図１１】
2018156801.tif 000013
【図１２】
2018156801.tif 000014
【図１３】
2018156801.tif 000015
【図１４】
2018156801.tif 000016
【図１５】
2018156801.tif 000017
【図１６】
2018156801.tif 000018
【図１７】
2018156801.tif 000019